(57)【要約】【課題】各種証明書や各種契約書あるいは各種機密文書などの原本性の確認を効率よく行うことを可能にしたり、また、より確実な改竄防止を図ることを可能にする。【解決手段】入力された画像データを処理する画像処理方法において、画像データのコンテンツを管理するための管理データを検出する第１の処理と、上記第１の処理における検出結果に応じて管理データを更新する第２の処理と、上記第２の処理により更新された管理データを電子透かしデータとして前記画像データのコンテンツを示すデータと合成して新たな画像データを生成する第３の処理とを有するようにしたものである。【選択図】        図１
2005150852.tif 000002
【特許請求の範囲】
【請求項１】
入力された画像データを処理する画像処理方法において、
画像データのコンテンツを管理するための管理データを検出する第１の処理と、
前記第１の処理における検出結果に応じて管理データを更新する第２の処理と、
前記第２の処理により更新された管理データを電子透かしデータとして前記画像データのコンテンツを示すデータと合成して新たな画像データを生成する第３の処理と
を有することを特徴とする画像処理方法。
【請求項２】
請求項１に記載の画像処理方法において、
前記管理データは、前記コンテンツの複写回数を示すものであり、
前記第２の処理は、前記第１の処理における検出結果の示す複写回数を「１」インクリメントして管理データを更新する
ことを特徴とする画像処理方法。
【請求項３】
入力された文書データを処理する画像処理方法において、
文書データを複写時不可視データに変換する第１の処理と、
前記第１の処理により複写時不可視データに変換された文書データに、複写時可視データとして電子透かしデータを付加して、該文書データと該電子透かしデータとより構成される画像データを生成する第２の処理と
を有することを特徴とする画像処理方法。
【請求項４】
入力された画像データを処理する画像処理装置において、
画像データのコンテンツを管理するための管理データを検出する検出手段と、
前記検出手段による検出結果に応じて管理データを更新する更新手段と、
前記更新手段により更新された管理データを電子透かしデータとして前記画像データのコンテンツを示すデータと合成して新たな画像データを生成する画像データ更新手段と
を有することを特徴とする画像処理装置。
【請求項５】
請求項４に記載の画像処理装置において、
前記管理データは、前記コンテンツの複写回数を示すものであり、
前記更新手段は、前記検出手段による検出結果の示す複写回数を「１」インクリメントして管理データを更新する
ことを特徴とする画像処理装置。
【請求項６】
入力された文書データを処理する画像処理装置において、
文書データを複写時不可視データに変換する文書データ変換手段と、
前記文書データ変換手段により複写時不可視データに変換された文書データに、複写時可視データとして電子透かしデータを付加して、該文書データと該電子透かしデータとより構成される画像データを生成する電子透かしデータ付加手段と
を有することを特徴とする画像処理装置。
【請求項７】
請求項１、請求項２または請求項３のいずれか１項に記載の画像処理方法をコンピューターに実行させるためのプログラム。
【請求項８】
請求項４、請求項５または請求項６のいずれか１項に記載の画像処理装置としてコンピューターを機能させるためのプログラム。
【請求項９】
請求項７または請求項８のいずれか１項に記載のプログラムを記録したコンピューター読み取り可能な記録媒体。
【発明の詳細な説明】
【技術分野】
【０００１】
本発明は、画像処理方法、画像処理装置、プログラムおよびコンピューター読み取り可能な記録媒体に関し、さらに詳細には、各種証明書や各種契約書あるいは各種機密文書などの文書や画像（本明細書においては、「文書」や「画像」を総称して単に「画像」と称する。）を複写機で複写したり、プリンターで印刷したり、ファクシミリ装置で出力したり、あるいはディスプレイ装置で表示したりする際に用いる画像データを生成する場合に用いて好適な画像処理方法、画像処理装置、プログラムおよびコンピューター読み取り可能な記録媒体に関する。
【背景技術】
【０００２】
近年、画像処理の技術分野においては、プリンターで印刷した場合には印刷物の印刷内容、即ち、印刷された画像を目視により視認することが可能であるが、その印刷物を複写機を用いて複写した場合には印刷された画像が消えてしまって、印刷された画像を目視により視認することができないような印刷物の印刷が可能になった。
【０００３】
また、画像処理の技術分野においては、上記とは逆に、プリンターで印刷した場合には印刷物の印刷内容、即ち、印刷された画像を目視により視認することができないが、その印刷物を複写機を用いて複写した場合にのみ目視により視認することができるようになる画像を印刷することも可能になっている。
【０００４】
さらに、画像処理の技術分野においては、印刷物に印刷された画像のハッシュ値をグラフィックバーコードに格納しておき、その印刷物に印刷された画像に改竄があったかどうかを判定するという手法も実施されている。
【０００５】
そして、上記したような画像処理の技術分野における各種の手法は、各種証明書や各種契約書あるいは各種機密文書などの原本性の確認や改竄防止などに利用されている。
【０００６】
しかしながら、上記したような従来の画像処理技術においては、各種証明書や各種契約書あるいは各種機密文書などの原本性の確認を効率よく行ったり、また、確実な改竄防止は図るためには十分ではないということが指摘されていた。
【０００７】
なお、本願出願人が特許出願のときに知っている先行技術は、文献公知発明に係る発明ではないため、記載すべき先行技術文献情報はない。
【発明の開示】
【発明が解決しようとする課題】
【０００８】
本発明は、上記したような従来の技術に鑑みてなされたものであり、その目的とするところは、各種証明書や各種契約書あるいは各種機密文書などの原本性の確認を効率よく行うことを可能にしたり、また、より確実な改竄防止を図ることを可能にした画像処理方法、画像処理装置、プログラムおよびコンピューター読み取り可能な記録媒体を提供しようとするものである。
【課題を解決するための手段】
【０００９】
上記目的を達成するために、本発明のうち請求項１に記載の発明は、入力された画像データを処理する画像処理方法において、画像データのコンテンツを管理するための管理データを検出する第１の処理と、上記第１の処理における検出結果に応じて管理データを更新する第２の処理と、上記第２の処理により更新された管理データを電子透かしデータとして上記画像データのコンテンツを示すデータと合成して新たな画像データを生成する第３の処理とを有するようにしたものである。
【００１０】
また、本発明のうち請求項２に記載の発明は、本発明のうち請求項１に記載の発明において、上記管理データは、上記コンテンツの複写回数を示すものであり、上記第２の処理は、上記第１の処理における検出結果の示す複写回数を「１」インクリメントして管理データを更新するようにしたものである。
【００１１】
また、本発明のうち請求項３に記載の発明は、入力された文書データを処理する画像処理方法において、文書データを複写時不可視データに変換する第１の処理と、上記第１の処理により複写時不可視データに変換された文書データに、複写時可視データとして電子透かしデータを付加して、該文書データと該電子透かしデータとより構成される画像データを生成する第２の処理とを有するようにしたものである。
【００１２】
また、本発明のうち請求項４に記載の発明は、入力された画像データを処理する画像処理装置において、画像データのコンテンツを管理するための管理データを検出する検出手段と、上記検出手段による検出結果に応じて管理データを更新する更新手段と、上記更新手段により更新された管理データを電子透かしデータとして上記画像データのコンテンツを示すデータと合成して新たな画像データを生成する画像データ更新手段とを有するようにしたものである。
【００１３】
また、本発明のうち請求項５に記載の発明は、本発明のうち請求項４に記載の発明において、上記管理データは、上記コンテンツの複写回数を示すものであり、上記更新手段は、上記検出手段による検出結果の示す複写回数を「１」インクリメントして管理データを更新するようにしたものである。
【００１４】
また、本発明のうち請求項６に記載の発明は、入力された文書データを処理する画像処理装置において、文書データを複写時不可視データに変換する文書データ変換手段と、上記文書データ変換手段により複写時不可視データに変換された文書データに、複写時可視データとして電子透かしデータを付加して、該文書データと該電子透かしデータとより構成される画像データを生成する電子透かしデータ付加手段とを有するようにしたものである。
【００１５】
また、本発明のうち請求項７に記載の発明は、本発明のうち請求項１、請求項２または請求項３のいずれか１項に記載の発明をコンピューターに実行させるためのプログラムである。
【００１６】
また、本発明のうち請求項８に記載の発明は、本発明のうち請求項４、請求項５または請求項６のいずれか１項に記載の発明としてコンピューターを機能させるためのプログラムである。
【００１７】
また、本発明のうち請求項９に記載の発明は、本発明のうち請求項７または請求項８のいずれか１項に記載の発明を記録したコンピューター読み取り可能な記録媒体である。
【発明の効果】
【００１８】
本発明は、以上説明したように構成されているので、各種証明書や各種契約書あるいは各種機密文書などの原本性の確認を効率よく行うことが可能な画像処理方法、画像処理装置、プログラムおよびコンピューター読み取り可能な記録媒体を提供することができるという優れた効果を奏する。
【００１９】
また、本発明は、以上説明したように構成されているので、各種証明書や各種契約書あるいは各種機密文書などの改竄防止をより確実に図ることが可能な画像処理方法、画像処理装置、プログラムおよびコンピューター読み取り可能な記録媒体を提供することができるという優れた効果を奏する。
【発明を実施するための最良の形態】
【００２０】
以下、添付の図面を参照しながら、本発明による画像処理方法、画像処理装置、プログラムおよびコンピューター読み取り可能な記録媒体の実施の形態の一例を詳細に説明する。
【００２１】
１．本発明の第１の実施の形態の説明
図１を参照しながら、本発明の第１の実施の形態による画像処理装置について説明する。なお、本発明の第１の実施の形態による画像処理装置は、複写機、ファクシミリ装置、プリンターあるいはディスプレイ装置などの各種の出力装置に適用できるものであるが、以下の説明においては、本発明による画像処理装置を複写機に適用した場合について説明する。
【００２２】
即ち、図１には、本発明の第１の実施の形態による画像処理装置を備えた複写機を示す概略ブロック構成説明図が表されている。なお、本発明の実施と関連しない構成部分については、図示ならびにその説明を省略している。
【００２３】
この複写機１０は、画像検出部１２と、画像出力部１４と、本発明による画像処理装置１００とを有して構成されている。
【００２４】
複写機１０においては、受像部たる画像検出部１２により印刷物などの複写対象物Ｍに描画された画像が検出され、画像検出部１２はその検出結果を原画像データとして生成して画像処理装置１００に入力する。画像処理装置１００は、この入力された原画像データに対して後述する処理を行って、処理後の画像データたる複写用画像データを画像出力部１４へ出力する。画像出力部１４は、この出力された複写用画像データに基づく画像を被複写物Ｃへ複写する処理を行う。被複写物Ｃに複写された画像を再度複写する場合には、被複写物Ｃを複写対象物Ｍとして用いて上記した処理を行えばよい。
【００２５】
なお、印刷物などの複写対象物Ｍから描画された画像を検出する画像検出部１２や、複写用画像データに基づく画像を被複写物Ｃへ複写する処理を行う画像出力部１４は、従来より公知の技術を適用することができるので、その詳細な構成ならびに作用の説明は省略する。
【００２６】
また、この実施の形態における複写対象物Ｍには、プリンターなどによって、当該複写対象物Ｍのコンテンツたる目視により視認することが可能な画像が描画されているとともに、目視により視認することができない電子透かしとして、当該複写対象物Ｍのコンテンツを管理するためのバージョン番号を示す情報が埋め込まれているものとする。
【００２７】
ここで、バージョン番号とは、複写機１０を用いて複写対象物Ｍを複写した回数を示す情報である。プリンターなどにより目視により視認することが可能な画像とともにバージョン番号を示す画像を埋め込む際には、初期値として、例えば、「１」のバージョン番号を示す画像が電子透かしとして埋め込まれる。画像処理装置１００においては、後述するように、複写を繰り返す毎にバージョン番号が初期値の「１」から「２」、「３」、・・・と順次に「１」づつインクリメントされるようになされている。
【００２８】
次に、画像処理装置１００の詳細な構成を説明すると、画像処理装置１００は、画像検出部１２から出力された原画像データの中のバージョン番号データからバージョン番号を検出して出力するとともに原画像データを図２に示すデータ構造（後述する。）の画像データに変換して出力するバージョン番号検出部１０２と、バージョン番号検出部１０２により検出されたバージョン番号を受け取って当該バージョン番号を「１」インクリメントした新たなバージョン番号を示すバージョン番号データを生成するバージョン番号データ生成部１０４と、バージョン番号検出部１０２から出力された画像データからバージョン番号データを消去された画像データを生成して出力するバージョン番号データ消去部１０６と、バージョン番号データ消去部１０６から出力された画像データ（この画像データは、バージョン番号データが消去されているので、ヘッダとフッダとの間にコンテンツデータのみが存在する構造を備えている。）とバージョン番号データ生成部１０４により生成されたバージョン番号データとを合成し、電子透かしデータとしてバージョン番号データが埋め込まれた複写用画像データを生成して出力する画像データ合成部１０８とを有して構成されている。
【００２９】
図２には、バージョン番号検出部１０２により生成される画像データのデータ構造が示されている。
【００３０】
図２に示すように、画像データは、コンテンツたる目視により視認することが可能な画像を示す画像データたるコンテンツデータと、電子透かしとしてバージョン番号を示す電子透かしデータとしての画像データたるバージョン番号データとが、ヘッダとフッダとに挟まれるようにしてそれぞれ領域毎に記憶される構造を備えている。
【００３１】
この第１の実施の形態においては、バージョン番号データが、コンテンツを管理するための管理データとなる。
【００３２】
以上の構成において、図３に示すフローチャートを参照しながら、複写機１０の動作の一例を説明する。
【００３３】
まず、複写機１０の原稿台（図示せず。）に複写対象物Ｍを載置してスタートボタンを押すと、画像抽出部１２は、複写対象物Ｍに描画された画像を検出し、その検出結果を原画像データとして生成して、生成した原画像データを画像処理装置１００のバージョン番号検出部１０２に入力する（ステップＳ３０２）。
【００３４】
次に、バージョン番号検出部１０２は、ステップＳ３０２により入力された原画像データのバージョン番号データからバージョン番号を検出し、検出したバージョン番号をバージョン番号データ生成部１０４へ出力するとともに、入力された原画像データから生成した画像データをバージョン番号データ消去部１０６へ出力する（ステップＳ３０４）。
【００３５】
そして、バージョン番号データ生成部１０４では、電子透かしデータとして検出したバージョン番号を「１」インクリメントした新しいバージョン番号を示すバージョン番号データを生成し、生成したバージョン番号データを画像データ合成部１０８へ出力する（ステップＳ３０６）。
【００３６】
一方、バージョン番号データ消去部１０６では、入力された画像データからバージョン番号データを消去して、バージョン番号データのない画像データ、即ち、ヘッダとフッダとの間にコンテンツデータのみが存在する構造を備えた画像データを生成し、生成した画像データを画像データ合成部１０８へ出力する（ステップＳ３０８）。
【００３７】
画像データ合成部１０８では、ステップＳ３０６において生成されたバージョン番号データとステップＳ３０８において生成された画像データとを合成し、電子透かしデータとしてバージョン番号データが埋め込まれた複写用画像データを生成して、画像データ処理部１４へ出力する（ステップＳ３１０）。
【００３８】
画像データ処理部１４では、複写用画像データに基づく画像を被複写物Ｃへ複写する処理を行い（ステップＳ３１２）、複写機１０の動作を終了する。
【００３９】
従って、この複写機１０においては、複写対象物Ｍを複写する毎に、「１」づつ増加したバージョン番号を示すバージョン番号データが電子透かしとして埋め込まれることになるため、複写対象物Ｍからバージョン番号データを検出することにより、当該複写対象物Ｍが何度目の複写により作成されたものであるかを容易に確認でき、原本性の証明や改竄防止に資することができる。
【００４０】
また、印刷物（配布物）にコメントや修正を付記した場合においても、その文書を複写することによって、アナログレベルでのバージョン管理が可能となる。
【００４１】
２．本発明の第２の実施の形態の説明
図４を参照しながら、本発明の第２の実施の形態による画像処理装置について説明する。なお、本発明の第２の実施の形態による画像処理装置は、ファクシミリ装置、プリンターあるいはディスプレイ装置などの各種の出力装置に適用できるものであるが、以下の説明においては、本発明による画像処理装置をプリンターに適用した場合について説明する。
【００４２】
即ち、図４には、本発明の第２の実施の形態による画像処理装置を備えたプリンターを示す概略ブロック構成図が表されている。なお、本発明の実施と関連しない構成部分については、図示ならびにその説明を省略している。
【００４３】
このプリンター２０は、図示しないパーソナルコンピューターなどから文書データを入力する入力部２２と、画像出力部２４と、本発明による画像処理装置２００とを有して構成されている。
【００４４】
プリンター２０においては、入力部２２は、パーソナルコンピューターなどから出力された文書データを入力して画像処理装置２００へ出力する。画像処理装置２００は、入力部２２から出力された文書データに対して後述する処理を行って、当該処理によって生成された画像データを画像出力部２４へ出力する。画像出力部２４は、この出力された画像データに基づく画像を紙片やシートなどの媒体に印刷する処理を行う。
【００４５】
なお、パーソナルコンピューターなどから文書データを入力する入力部２２や、画像データに基づく画像を媒体へ印刷する処理を行う画像出力部２４は、従来より公知の技術を適用することができるので、その詳細な構成ならびに作用の説明は省略する。
【００４６】
次に、画像処理装置２００の詳細な構成を説明すると、画像処理装置２００は、入力部２２から出力された文書データを、プリンター２０によって当該文書データによって示される文書を印刷した媒体を複写機で複写した際に、当該文書が消えてしまって印刷された文書を目視により視認することができなくしたり、あるいは、当該文書が薄くなってしまって判読困難にするようなデータ（以下、このようなデータを「複写時不可視データ」と適宜に称する。）に変換し出力する文書データ変換部２０２と、文書データ変換部２０２から出力された複写時不可視データとしての文書データに対して、プリンター２０によって印刷した媒体からは目視により視認することができないか、あるいは、プリンター２０によって印刷した媒体においては薄く印刷されているが、その媒体を複写機を用いて複写した場合にのみ目視により画像を視認することができるようにしたり、あるいは、濃く複写されるようになるデータ（以下、このようなデータを「複写時可視データ」と適宜に称する。）としての電子透かしデータを付加して、複写時不可視データとしての文書データと電子透かしデータとより構成される画像データを生成して画像出力部２４へ出力する電子透かしデータ付加部２０４とを有して構成されている。
【００４７】
なお、ある文書データを複写時不可視データとしての文書データに変換する文書データ変換部２０２は、従来より公知の技術を適用することができるので、その詳細な構成ならびに作用の説明は省略する。
【００４８】
また、複写時不可視データとしての文書データに複写時可視データとしての電子透かしデータを付加して、複写時不可視データとしての文書データと電子透かしデータとより構成される画像データを生成して出力する電子透かしデータ付加部２０４は、従来より公知の技術を適用することができるので、その詳細な構成ならびに作用の説明は省略する。
【００４９】
なお、電子透かしデータに基づいて印刷される画像としては、例えば、社名や社標などの画像を適宜に用いることができる。
【００５０】
以上の構成において、プリンター２０の動作について説明するが、本発明の理解を容易にするために、複写時不可視データとしては、プリンター２０によって当該文書データによって示される文書を印刷した媒体を複写機で複写した際には、当該文書が消えてしまって印刷された文書を目視により視認することができなくなるようなデータを用い、また、複写時可視データとしては、プリンター２０によって印刷した媒体からは目視により視認することができないが、その媒体を複写機を用いて複写した場合にのみ目視により画像を視認することができるようなデータを用いた場合について説明する。
【００５１】
このプリンター２０においては、パーソナルコンピューターなどから文書データが入力部２２に入力されると、入力部２２は入力された文書データを画像処理装置２００の文書データ変換部２０２へ出力する。文書データ変換部２０２は、入力部２２から出力された文書データを複写時不可視データに変換し、電子透かしデータ付加部２０４へ出力する。電子透かしデータ付加部２０４は、複写時不可視データに変換された文書データに複写時可視データとしての電子透かしデータを付加して当該文書データと当該電子透かしデータとより構成される画像データを生成して、当該画像データを画像出力部２４へ出力する。
【００５２】
画像出力２４は、電子透かしデータ付加部２０４から出力された画像データに基づく画像、即ち、文書データの示す文書と電子透かしデータの示す画像とを媒体に印刷する。
【００５３】
ここで、当該画像データを印刷された媒体を目視しても、文書データの示す文書しか視認することはできない。
【００５４】
しかしながら、当該画像データを印刷された媒体を複写機により複写することにより得られた複写物を目視すると、文書は消えてしまって、電子透かしデータの示す画像しか視認することができない。
【００５５】
従って、このプリンター２０により印刷された媒体を複写すると、文書が消えて電子透かしとして組み込んだ画像のみが目視により視認されるようになるので、プリンター２０により印刷された媒体の複写物であるか否かを容易に確認でき、原本性の証明や改竄防止に資することができるとともに、文書の漏洩を防止することができるようになる。
【００５６】
以下、上記した作用の理解を容易にするために、図５を参照しながら具体例を用いて説明する。
【００５７】
まず、図５（ａ）に示す「イロ」の文字よりなる文書を示す文書データが、パーソナルコンピューターから入力部２２へ入力されたものとする。
【００５８】
そうすると、入力部２２は、入力された文書データを画像処理装置２００の文書データ変換部２０２へ出力し、文書データ変換部２０２は、入力部２２から出力された文書データを複写時不可視データに変換する（図５（ｂ））。それから、文書データ変換部２０２は、複写時不可視データに変換された文書データを電子透かしデータ付加部２０４へ出力する。
【００５９】
電子透かしデータ付加部２０４は、複写時不可視データに変換された文書データに複写時可視データとして電子透かしデータ（図５（ｃ））を付加して合成し、当該文書データと当該電子透かしデータとより構成される画像データを生成する（図５（ｄ））。なお、この例においては、複写時可視データとしての電子透かしデータは、図５（ｃ）に示すように「◆」の画像を表すものとする。
【００６０】
電子透かしデータ付加部２０４は、生成した画像データを画像出力部２４へ出力する。画像出力２４は、電子透かしデータ付加部２０４から出力された画像データに基づく画像、即ち、文書データの示す文書と電子透かしデータの示す画像とを媒体に印刷する。
【００６１】
ここで、当該画像データを印刷された媒体を目視しても、文書データの示す「イロ」という文書しか視認することはできない（図５（ｅ））。
【００６２】
しかしながら、当該画像データを印刷された媒体を複写機により複写することにより得られた複写物を目視すると、「イロ」という文書は消えてしまって、電子透かしデータの示す「◆」の画像しか視認することができない（図５（ｆ））。
【００６３】
即ち、このプリンター２０により印刷された媒体（図５（ｅ））を複写すると、「イロ」という文書が消えて電子透かしとして組み込んだ「◆」の画像のみが目視により視認されるようになるので、プリンター２０により印刷された媒体の複写物であるか否かを容易に確認でき、原本性の証明や改竄防止に資することができるとともに、文書の漏洩を防止することができるようになる。
【００６４】
なお、上記した実施の形態は、以下の（１）乃至（５）に説明するように適宜に変形してもよい。
【００６５】
（１）上記した説明においては、複写機に第１の実施の形態を適用した場合を示し、プリンターに第２の実施の形態を適用した場合を示しているが、これに限られるものではないことは勿論である。例えば、ファクシミリ装置やプリンターあるいはディスプレイ装置などの各種の出力装置に第１の実施の形態を適用してもよいし、ファクシミリ装置やディスプレイ装置などの各種の出力装置に第２の実施の形態を適用してもよい。
【００６６】
例えば、ファックス装置に第１の実施の形態を用いる場合には、図６に示すように構成すればよい。なお、図１に示す構成と同一あるいは相当する構成には、図１において用いた符号と同一の符号を用いて示すことにより、その構成ならびに作用の説明は省略する。
【００６７】
この図６に示すファックス装置に第１の実施の形態を用いた例は、ファックス装置特有の構成を備えている点においてのみ、図１に示す複写機に第１の実施の形態を用いた例とは異なる。即ち、図６に示すファックス装置に第１の実施の形態を用いた例においては、画像処理装置１００の前段に画像検出部１２に代えて受信データ検出部３２が設けられ、また、画像処理装置１００の後段に画像出力部１４に代えて紙片やシートなどの媒体へ印刷するための画像出力部３４が設けられてる。
【００６８】
図６に示すファックス装置に第１の実施の形態を用いた例においては、電話回線などを介して入力された受信データを受信データ検出部３２で検出し、受信データ検出部３２はその検出結果を原画像データとして生成して画像処理装置１００に入力するものであり、画像処理装置１００は、この入力された原画像データに対して上記したと同様な処理を行って、処理後の画像データたる印刷用画像データを画像出力部３４へ出力する。画像出力部３４は、この出力された印刷用画像データに基づく画像を紙片やシートなどの媒体へ印刷する処理を行う。
【００６９】
（２）上記した第１の実施の形態の説明においては、複写対象物Ｍに対して、プリンターなどによって目視により視認することができない電子透かしとしてバージョン番号を示す画像が埋め込まれている場合について説明したが、これに限られるものではないことは勿論である。複写対象物Ｍに電子透かしとしてバージョン番号を示す画像が埋め込まれていない場合には、例えば、以下のように変形すればよい。
【００７０】
即ち、複写対象物Ｍに電子透かしとしてバージョン番号を示す画像が埋め込まれていない場合には、バージョン番号検出部１０２によってバージョン番号が検出されないことになるので、その際には、バージョン番号検出部１０２がバージョン番号を検出できなかったことを示すデータをバージョン番号生成部１０４へ出力するようにしておく。バージョン番号を検出できなかったことを示すデータを受け取ったバージョン番号生成部１０４は、バージョン番号の初期値（例えば、「１」である。）を示すバージョン番号データを電子透かしデータとして生成し、画像データ生成部１０８へ出力する。電子データ生成部１０８では、バージョン番号消去部１０６から出力された画像データへバージョン番号データを埋め込んで複写用画像データを生成し、画像出力部１４へ出力する。
【００７１】
画像出力部１４が、上記のようにして生成された複写用画像データに基づく画像を被複写物Ｃへ複写する処理を行って、被複写物Ｃへ画像の複写が行われた後において、被複写物Ｃをさらに複写する際には、被複写物Ｃを複写対象物Ｍとして第１の実施の形態と同一の処理を行えばよい。
【００７２】
（３）上記した第１の実施の形態においては、コンテンツを管理するための管理データとしてバージョン番号データを用いたが、これに限られるものではないことは勿論であり、バージョン番号データとともに、あるいは、バージョン番号データに代えて、複写や印刷の処理を行った日時や社名あるいは社標などの各種の情報を管理データとして埋め込むようにしてもよい。
【００７３】
（４）上記した第２の実施の形態においては、複写時不可視データとして、プリンター２０によって文書データによって示される文書を印刷した媒体を複写機で複写した際には、当該文書が消えてしまって印刷された文書を目視により視認することができなくなるようなデータを用い、また、複写時可視データとして、プリンター２０によって印刷した媒体からは目視により視認することができないが、その媒体を複写機を用いて複写した場合にのみ目視により画像を視認することができるようなデータを用いた場合について説明したが、これに限られるものではないことは勿論である。
【００７４】
即ち、複写時不可視データとして、プリンター２０によって文書データによって示される文書を印刷した媒体を複写機で複写した際には、当該文書が薄くなってしまって判読困難になるデータを用い、また、複写時可視データとして、プリンター２０によって印刷した媒体においては薄く印刷されているが、その媒体を複写機を用いて複写した場合にのみ濃く複写されるようになるデータを用いてもよい。
【００７５】
これらのデータを用いた場合においても、画像出力部２４から出力した画像データを印刷された媒体を目視しても、複写時可視データは薄く印刷されるので、文書データの示す文書は容易に視認することができる。
【００７６】
しかしながら、当該画像データを印刷された媒体を複写機により複写することにより得られた複写物を目視すると、複写時不可視データは薄く複写されるので、文書の判読が困難になり、一方、複写時可視データは濃く複写されるため、電子透かしとして組み込んだ画像のために文書の判読はより一層困難になる。
【００７７】
従って、このプリンター２０により印刷された媒体を複写すると、文書の判読ができなくなるので、プリンター２０により印刷された媒体の複写物であるか否かを容易に確認でき、原本性の証明や改竄防止に資することができるとともに、文書の漏洩を防止することができるようになる。
【００７８】
（５）上記した各実施の形態ならびに上記（１）乃至（４）に示す変形例は、それぞれ適宜に組み合わせるようにしてもよい。
【産業上の利用可能性】
【００７９】
本発明は、各種証明書や各種契約書あるいは機密文書などの画像を複写機で複写したり、プリンターで印刷したり、ファクシミリ装置で出力したり、あるいはディスプレイ装置で表示したりする際に利用することができる。
【図面の簡単な説明】
【００８０】
【図１】本発明の第１の実施の形態による画像処理装置を備えた複写機を示す概略ブロック構成説明図である。
【図２】バージョン番号検出部により生成される画像データのデータ構造を示す説明図である。
【図３】本発明の第１の実施の形態による画像処理装置を備えた複写機の動作の一例を示すフローチャートである。
【図４】本発明の第２の実施の形態による画像処理装置を備えたプリンターを示す概略ブロック構成図である。
【図５】本発明の第２の実施の形態による画像処理装置を備えたプリンターの動作の一例を示す説明図である。
【図６】本発明の第１の実施の形態による画像処理装置を備えたファクシミリ装置を示す概略ブロック構成説明図である。
【符号の説明】
【００８１】
１０        複写機
１２        画像検出部
１４        画像出力部
２０        プリンター
２２        入力部
２４        画像出力部
３０        ファクシミリ装置
３２        受信データ検出部
３４        画像出力部
１００        画像処理装置
１０２        バージョン番号検出部
１０４        バージョン番号データ生成部
１０６        バージョン番号消去部
１０８        画像データ合成部
２００        画像処理装置
２０２        文書データ変換部
２０４        電子透かしデータ付加部
Ｍ        複写対象物
Ｃ        被複写物
【図１】
2005150852.tif 000003
【図２】
2005150852.tif 000004
【図３】
2005150852.tif 000005
【図４】
2005150852.tif 000006
【図５】
2005150852.tif 000007
【図６】
2005150852.tif 000008